(57)【要約】      （修正有）【課題】漏水を低減させることができる階段の踊場構造を提供する。【解決手段】階段と連絡する踊場部本体３Ａと、踊場部本体３Ａの一端部に設けられた横樋とを備え、踊場部本体３Ａは、一方の踊場鋼板３０の踊場鋼板本体３０ａの一端部３０ｂと他方の踊場鋼板３０の踊場鋼板本体３０ａの他端部３０ｃをビス３３によって連結することによって構成され、ビス３３によって連結された一方の踊場鋼板３０の踊場鋼板本体３０ａの一端部３０ｂと他方の踊場鋼板３０の踊場鋼板本体３０ａの他端部３０ｃのうち、一方の踊場鋼板３０の一端部３０ｂには、該一端部３０ｂが水を受けることができるように上方に向って折り曲げ形成されることによって形成された踊場受け部３０ｂ１が一体形成され、踊場受け部３０ｂ１の一端部の下方には、横樋が設けられている。【選択図】図２
2019044527.tif 000002
【特許請求の範囲】
【請求項１】
階段と連絡する踊場部本体と、
前記踊場部本体の一端部に設けられた横樋と、を備え、
前記踊場部本体は、踊場鋼板一端部同士を連結手段によって連結することによって、構成され、
前記連結手段によって連結された踊場鋼板の一端部同士の一方の踊場鋼板の一端部には、該一端部が水を受けることができるように上方に向って折り曲げ形成されることによって形成された踊場受け部が一体形成され、
前記踊場受け部の一端部の下方には、前記横樋が設けられてなる階段の踊場構造。
【請求項２】
前記横樋の一端部には、縦樋が設けられてなる請求項１に記載の階段の踊場構造。
【請求項３】
前記連結手段によって連結されない踊場鋼板の他端部には、水を受けることができるように上方に向って折り曲げ形成された踊場端部受け部が設けられ、
前記踊場端部受け部と、前記踊場鋼板とは、別体で構成されてなる請求項１又は２に記載の階段の踊場構造。
【発明の詳細な説明】
【技術分野】
【０００１】
本発明は、階段の踊場構造に関し、特に、漏水を低減させることができる階段の踊場構造に関する。
【背景技術】
【０００２】
従来、建築物の配設される階段として、特許文献１に記載のようなものが知られている。この階段の踊場は、踏板を鋼板製としその上にタイル等が敷かれた構成となっているものである。
【先行技術文献】
【特許文献】
【０００３】
【特許文献１】特開平４−２１６７６２号公報
【発明の概要】
【発明が解決しようとする課題】
【０００４】
しかしながら、この種の階段の踊場は、タイルやタイルの目地等にヒビ等が入った場合、鋼板の繋ぎ目から雨水等の水が浸入（漏水）し易くなり、もって、漏水の原因となるという問題があった。
【０００５】
そこで、本発明は、上記問題に鑑み、漏水を低減させることができる階段の踊場構造を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、階段（下階階段部（１），上階階段部（２））と連絡する踊場部本体（３Ａ）と、
前記踊場部本体（３Ａ）の一端部（３Ａａ）に設けられた横樋（３Ｂ）と、を備え、
前記踊場部本体（３Ａ）は、踊場鋼板（３０）一端部同士（一方の踊場鋼板３０の踊場鋼板本体３０ａの一端部３０ｂと他方の踊場鋼板３０の踊場鋼板本体３０ａの他端部３０ｃ）を連結手段（ビス３３）によって連結することによって、構成され、
前記連結手段（ビス３３）によって連結された踊場鋼板（３０）の一端部同士（一方の踊場鋼板３０の踊場鋼板本体３０ａの一端部３０ｂと他方の踊場鋼板３０の踊場鋼板本体３０ａの他端部３０ｃ）の一方の踊場鋼板（３０）の一端部（３０ｂ）には、該一端部（３０ｂ）が水を受けることができるように上方に向って折り曲げ形成されることによって形成された踊場受け部（３０ｂ１）が一体形成され、
前記踊場受け部（３０ｂ１）の一端部の下方には、前記横樋（３Ｂ）が設けられてなることを特徴としている。
【０００８】
また、請求項２の発明によれば、上記請求項１に記載の階段の踊場構造において、前記横樋（３Ｂ）の一端部（３Ｂａ）には、縦樋（３Ｃ）が設けられてなることを特徴としている。
【０００９】
さらに、請求項３の発明によれば、上記請求項１又は２に記載の階段の踊場構造において、前記連結手段（ビス３３）によって連結されない踊場鋼板（３０）の他端部（３０ｃ）には、水を受けることができるように上方に向って折り曲げ形成された踊場端部受け部（３２）が設けられ、
前記踊場端部受け部（３２）と、前記踊場鋼板（３０）とは、別体で構成されてなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１に係る発明によれば、連結手段（ビス３３）によって連結された踊場鋼板（３０）の一端部同士（一方の踊場鋼板３０の踊場鋼板本体３０ａの一端部３０ｂと他方の踊場鋼板３０の踊場鋼板本体３０ａの他端部３０ｃ）の一方の踊場鋼板（３０）の一端部（３０ｂ）には、該一端部（３０ｂ）が水を受けることができるように上方に向って折り曲げ形成されることによって形成された踊場受け部（３０ｂ１）が一体形成されているから、踊場鋼板（３０）の連結部分に水が浸入したとしても、踊場受け部（３０ｂ１）にて、その水を受けることができる。そしてさらに、踊場受け部（３０ｂ１）の一端部の下方には、横樋（３Ｂ）が設けられているから、踊場受け部（３０ｂ１）にて受けた水を横樋（３Ｂ）内に集水することができ、もって、踊場受け部（３０ｂ１）にて受けた水が溢れ出し、階下に落下してしまう事態を低減させることができる。
【００１２】
しかして、本発明によれば、漏水を低減させることができる。
【００１３】
また、請求項２に係る発明によれば、横樋（３Ｂ）の一端部（３Ｂａ）には、縦樋（３Ｃ）が設けられているから、横樋（３Ｂ）内に集水された水が横樋（３Ｂ）から溢れ出し、階下に落下してしまう事態を低減させることができ、もって、漏水となる事態を低減させることができる。
【００１４】
さらに、請求項３に係る発明によれば、連結手段（ビス３３）によって連結されない踊場鋼板（３０）の他端部（３０ｃ）には、水を受けることができるように上方に向って、折り曲げ形成された踊場端部受け部（３２）が設けられ、この踊場端部受け部（３２）と、踊場鋼板（３０）とは、別体で構成されているから、踊場鋼板（３０）の他端部（３０ｃ）に水が侵入したとしても、踊場鋼板（３０）とは、別体で構成されている踊場端部受け部（３２）がその水を受けることができる。これにより、漏水となる事態をさらに低減させることができる。
【図面の簡単な説明】
【００１５】
【図１】本発明の一実施形態に係る階段の踊場構造の一実施形態を示す平面図である。
【図２】（ａ）は図１のＸ１−Ｘ１線断面図、（ｂ）は（ａ）に示すＺ部分の拡大図である。
【図３】図１のＸ２−Ｘ２線断面図の一部を省略した図である。
【図４】同実施形態に係る横樋と縦樋だけを示した斜視図である。
【発明を実施するための形態】
【００１６】
以下、本発明に係る階段の踊場構造の一実施形態を、図面を参照して具体的に説明する。なお、以下の説明において、上下左右の方向を示す場合は、図示正面から見た場合の上下左右をいうものとする。
【００１７】
図１に示す本実施形態に係る階段の踊場構造３は、階段と連絡する踊場部に関する構造であって、具体的には、建物Ａの外側に設けられた下階に連絡する下階階段部１と上階に連絡する上階階段部２とを連絡する平面視矩形状の踊場部本体３Ａと、下階階段部１及び上階階段部２と反対方向に位置する踊場部本体３Ａの一端部３Ａａ（図示左側）に設けられている横樋３Ｂと、図４に示すように、横樋３Ｂの一端部３Ｂａ（図示左側）に設けられている縦樋３Ｃとで主に構成されている。なお、階段の踊場構造３は、階段と連絡する踊場部に関する構造であるため、図１の右側にも、上階階段部２とさらに上階に連絡する上階階段部（図示せず）とを連絡する階段の踊場構造３が存在しているが、同一の構成であるため、符号を付して説明は省略することとする。
【００１８】
踊場部本体３Ａは、図２（ａ）に示すように、複数の断面視略コ字状の踊場鋼板３０と、踊場鋼板３０の上面に接着剤、目地材等により載置されたタイル３１と、踊場端部受け部３２とで構成されている。踊場鋼板３０は、断面視コ字状に形成されている踊場鋼板本体３０ａと、踊場鋼板本体３０ａの一端部３０ｂに一体的に設けられているくの字状に折り曲げ形成されている踊場受け部３０ｂ１とで構成されている。しかして、このように構成される踊場鋼板３０同士が、図２（ａ）に示すように、ビス３３によって連結されることとなる。すなわち、一方の踊場鋼板３０の踊場鋼板本体３０ａの一端部３０ｂと他方の踊場鋼板３０の踊場鋼板本体３０ａの他端部３０ｃとを密着させ、その密着させた一端部３０ｂと他端部３０ｃの下方に踊場受け部３０ｂ１が配置されるように、その密着させた一端部３０ｂと他端部３０ｃとをビス３３によって止着することによって、踊場鋼板３０同士が、図２（ａ）に示すように、ビス３３によって連結されることとなる。しかるに、このように複数の断面視略コ字状の踊場鋼板３０同士をビス３３によって連結していくことにより、図１に示すような平面視矩形状の踊場部本体３Ａが形成されていくこととなる。
【００１９】
かくして、このように踊場鋼板３０同士をビス３３によって連結するようにすれば、踊場鋼板３０の上面に載置されたタイル３１やタイル３１の目地にヒビ等が入り、ビス３３によって止着されている一方の踊場鋼板３０の踊場鋼板本体３０ａの一端部３０ｂと他方の踊場鋼板３０の踊場鋼板本体３０ａの他端部３０ｃとの僅かな隙間に雨水等の水が浸入したとしても（図２（ａ）に示す矢印Ｙ１方向参照）、くの字状に折り曲げ形成されている踊場受け部３０ｂ１がその雨水等の水を受けることができる。これにより、階下に雨水等の水が落下してしまう事態を低減させることができ、もって、漏水となる事態を低減させることができる。
【００２０】
なお、踊場受け部３０ｂ１は、踊場鋼板本体３０ａの一端部３０ｂをくの字状に折り曲げて形成しただけのものであるため、新たな部材が不要であるから、安価に製作することができる。さらに、踊場鋼板本体３０ａの一端部３０ｂをくの字状に折り曲げて形成することによって、踊場鋼板本体３０ａ自体の強度を向上させることができる。
【００２１】
また、図示はしないがビス３３には、止水用のゴムワッシャーが設けられている。このようにすれば、雨水等の水がビス３３を伝って階下に落下しようとしても、その落下を防止することができ、もって、漏水となる事態を低減させることができる。
【００２２】
一方、踊場端部受け部３２は、踊場鋼板同士がビスによって連結されていない部分、具体的には、図２（ａ）に示すように、ビス３３によって連結されていない踊場鋼板３０の踊場鋼板本体３０ａの他端部３０ｃ側に設けられている。この踊場端部受け部３２は、踊場鋼板３０とは別体で設けられると共に、鋼板によって形成され、さらに、図２（ｂ）に示すように、略Ｌ字状に形成されており、一端部３２ａがくの字状に折り曲げ形成されている。しかして、このように形成される踊場端部受け部３２は、図２（ｂ）に示すように、垂直方向（鉛直方向）に立設している他端部３２ｂと踊場鋼板本体３０ａの他端部３０ｃとを密着させ、その密着させた他端部３２ｂと踊場鋼板本体３０ａの他端部３０ｃの下方に踊場端部受け部３２の一端部３２ａが配置されるように、その密着させた他端部３２ｂと踊場鋼板本体３０ａの他端部３０ｃとをビス３４によって止着することによって、踊場端部受け部３２をビス３３によって連結されていない踊場鋼板３０の踊場鋼板本体３０ａの他端部３０ｃ側に設けるようにしている。しかるに、このようにすれば、踊場鋼板３０の上面に載置されたタイル３１やタイル３１の目地にヒビ等が入り、踊場鋼板本体３０ａの他端部３０ｃに雨水等の水が浸入したとしても（図２（ｂ）に示す矢印Ｙ２方向参照）、くの字状に折り曲げ形成されている踊場端部受け部３２の一端部３２ａがその雨水等の水を受けることができるため、そのまま雨水等の水が階下に落下してしまう事態を低減させることができ、もって、漏水となる事態を低減させることができる。
【００２３】
なお、図２（ａ）に示すように、上記のように構成される踊場部本体３Ａの踊場鋼板３０の下部には、踊場鋼板３０を支持する断面視コ字状の桁１０が設けられ、この桁１０の左端部には柱パッキン１１を介して柱１２が複数のビス１２ａ（図示では、２つ）によって、取り付け固定されている。そして、この柱１２の外周部には、略矩形状の桁カバー１３が取り付け固定されている。また、図２（ａ）に示すように、桁カバー１３と踊場端部受け部３２との間にはシーリング材１４が設けられている。そして、桁カバー１３の上部には、格子１５が取り付け固定され、桁１０の下部には、軒天見切り１６が取り付け固定され、この軒天見切り１６には、軒天パネル１７が取り付け固定されている。
【００２４】
ところで、図２（ａ）に示す踊場受け部３０ｂ１及び図２（ｂ）に示す踊場端部受け部３２の一端部３２ａにて受けた雨水等の水は、図１に示す横樋３Ｂに案内されることとなる。この点、図３及び図４を参照して具体的に説明する。図３に示すように、踊場受け部３０ｂ１及び踊場端部受け部３２の一端部３２ａは、勾配が設けられており、図１に示す下階階段部１及び上階階段部２側に位置する踊場部本体３Ａの他端部３Ａｂ（図示右側）から図１に示す下階階段部１及び上階階段部２と反対方向に位置する踊場部本体３Ａの一端部３Ａａ（図示左側）まで延設されている。これにより、図２（ａ）に示す踊場受け部３０ｂ１及び図２（ｂ）に示す踊場端部受け部３２の一端部３２ａにて受けた雨水等の水は、図３に示すように、図２（ａ）に示す踊場受け部３０ｂ１及び図２（ｂ）に示す踊場端部受け部３２の一端部３２ａの端部（図示左側）に向って流れていくこととなる（図３に示すＹ３方向参照）。
【００２５】
そして、図１に示す下階階段部１及び上階階段部２と反対方向に位置する踊場部本体３Ａの一端部３Ａａ（図示左側）まで流れてきた雨水等の水は、図３に示すように、図２（ａ）に示す踊場受け部３０ｂ１及び図２（ｂ）に示す踊場端部受け部３２の一端部３２ａの下方に設けられると共に、図１に示す下階階段部１及び上階階段部２と反対方向に位置する踊場部本体３Ａの一端部３Ａａ（図示左側）側に設けられている横樋３Ｂに自由落下（図３に示す矢印Ｙ４方向参照）し、横樋３Ｂ内に集水されることとなる。
【００２６】
横樋３Ｂは、図１に示すように、下階階段部１及び上階階段部２と反対方向に位置する踊場部本体３Ａの一端部３Ａａ（図示左側）に設けられており、図３に示すように、断面視凹状の溝形状に形成されている。そしてこの横樋３Ｂは、図４に示すように、長尺状に形成されており、図１に示す踊場部本体３Ａの下端部３Ａｃ（図示下側）から図１に示す踊場部本体３Ａの上端部３Ａｄ（図示上側）まで延設されている。しかるに、横樋３Ｂに自由落下した雨水等の水（図３、図４に示す矢印Ｙ４方向参照）は、断面視凹状の溝形状に形成された横樋３Ｂ内に集水されることとなる。
【００２７】
かくして、このように、図２（ａ）に示す踊場受け部３０ｂ１及び図２（ｂ）に示す踊場端部受け部３２の一端部３２ａにて受けた雨水等の水を横樋３Ｂ内に集水することにより、図２（ａ）に示す踊場受け部３０ｂ１及び図２（ｂ）に示す踊場端部受け部３２の一端部３２ａにて受けた雨水等の水が、図２（ａ）に示す踊場受け部３０ｂ１及び／又は図２（ｂ）に示す踊場端部受け部３２の一端部３２ａから溢れ出し、階下に落下してしまう事態を低減させることができ、もって、漏水となる事態を低減させることができる。
【００２８】
ところで、横樋３Ｂ内に集水された雨水等の水は、図４に示すように、矢印Ｙ５方向に流れ、横樋３Ｂの一端部３Ｂａ（図示左側に）にビス等によって取付け固定されている縦樋３Ｃ内を通って（矢印Ｙ６方向参照）排水されることとなる。
【００２９】
しかして、このように、横樋３Ｂ内に集水された雨水等の水を横樋３Ｂの一端部３Ｂａ（図示左側に）に取り付け固定されている縦樋３Ｃから排水するようにすれば、横樋３Ｂ内に集水された雨水等の水が横樋３Ｂから溢れ出し、階下に落下してしまう事態を低減させることができ、もって、漏水となる事態を低減させることができる。
【００３０】
なお、本実施形態においては、横樋３Ｂの一端部３Ｂａ（図示左側に）に縦樋３Ｃを設ける例を示したが、それに限らず、横樋３Ｂの両端部に縦樋３Ｃを設けるようにしても良い。しかしながら、横樋３Ｂの一端部３Ｂａ（図示左側に）に縦樋３Ｃを設けた方が、部品点数も少なくなる上、一箇所に集中させることで排水性が向上することとなるため、好ましい。
【００３１】
ところで、横樋３Ｂは、図３に示すように、桁１０に設けられている断面視コ字状の桁プレート２０にビス２１によって取付け固定されている断面視逆Ｌ字状の取付板２２に、溶接等によって取付け固定されている。これによって、図３に示すように、図２（ａ）に示す踊場受け部３０ｂ１及び図２（ｂ）に示す踊場端部受け部３２の一端部３２ａの下方に横樋３Ｂが設けられることとなる。また、図３に示すように、この横樋３Ｂの上方には、横樋３Ｂを隠蔽する化粧材２５が設けられており、この化粧材２５の一端部２５ａは、ビス２６によって踊場鋼板本体３０ａに取り付け固定され、化粧材２５の他端部２５ｂは、ビス２７によって、断面コ字状の化粧材下地２８に取り付け固定されている。これにより、横樋３Ｂの上方には、横樋３Ｂを隠蔽する化粧材２５が設けられることとなる。なお、化粧材下地２８は、図３に示すように、桁１０にビス２９を介して取り付けて固定されている。また、図示はしないが、化粧材２５は、雨水等の水が横樋３Ｂ内に滴下するように、複数の透孔が設けられている。
【００３２】
しかして、以上説明した本実施形態によれば、踊場鋼板３０同士をビス３３によって連結した際、踊場鋼板３０の上面に載置されたタイル３１やタイル３１の目地にヒビ等が入り、ビス３３によって止着されている一方の踊場鋼板３０の踊場鋼板本体３０ａの一端部３０ｂと他方の踊場鋼板３０の踊場鋼板本体３０ａの他端部３０ｃとの僅かな隙間に雨水等の水が浸入したとしても（図２（ａ）に示す矢印Ｙ１方向参照）、くの字状に折り曲げ形成されている踊場受け部３０ｂ１がその雨水等の水を受けることができる。そして、図２（ａ）に示す踊場受け部３０ｂ１にて受けた雨水等の水は、横樋３Ｂ内に集水されることとなる（図３に示す矢印Ｙ３、Ｙ４方向参照）。これにより、タイル３１やタイル３１の目地にヒビ等が入り、踊場鋼板３０の連結部分に雨水等の水が浸入したとしても、踊場受け部３０ｂ１にて、その雨水等の水を受けることができると共に、横樋３Ｂ内に雨水等の水を集水することによって、踊場受け部３０ｂ１にて受けた雨水等の水が溢れ出し、階下に落下してしまう事態を低減させることができ、もって、漏水を低減させることができる。
【００３３】
なお、本実施形態において示した形状等はあくまで一例であり、特許請求の範囲に記載された本発明の要旨の範囲内において、種々の変形・変更が可能である。
【００３４】
例えば、本実施形態においては、階段の踊場構造３として、建物Ａの外側に設けられた外階段を例にして説明したが、それに限らず、建物Ａの内側に設けられた内階段にも適用可能である。
【００３５】
また、本実施形態においては、踊場鋼板３０の上面にタイル３１が載置される例を示したが、タイルに限らず、防水シート等、踊場鋼板３０の上面に載置されるものはどのようものでも良い。
【００３６】
さらに、本実施形態においては、踊場受け部３０ｂ１がくの字状に折り曲げ形成されている例を示したが、それに限らず、踊場受け部３０ｂ１が上方に向って折り曲げて形成されていれば、雨水等の水を受けることができるため、Ｌ字状でも、Ｔ字状でも、Ｕ字状でも、踊場受け部３０ｂ１が上方に向って折り曲げて形成されていれば、どのような形状でも良い。
【００３７】
またさらに、本実施形態においては、踊場端部受け部３２の一端部３２ａがくの字状に折り曲げ形成されている例を示したが、それに限らず、踊場端部受け部３２の一端部３２ａが上方に向って折り曲げて形成されていれば、雨水等の水を受けることができるため、Ｌ字状でも、Ｔ字状でも、Ｕ字状でも、踊場端部受け部３２の一端部３２ａが上方に向って折り曲げて形成されていれば、どのような形状でも良い。
【符号の説明】
【００３８】
１        下階階段部（階段）
２        上階階段部（階段）
３        階段の踊場構造
３Ａ      踊場部本体
３Ａａ    （踊場部本体の）一端部
３Ｂ      横樋
３Ｃ      縦樋
３０      踊場鋼板
３０ａ    踊場鋼板本体
３０ｂ    （踊場鋼板本体の）一端部
３０ｂ１    踊場受け部
３０ｃ    （踊場鋼板本体の）他端部
３１      タイル
３２      踊場端部受け部
３３      ビス（連結手段）
【図１】
2019044527.tif 000003
【図２】
2019044527.tif 000004
【図３】
2019044527.tif 000005
【図４】
2019044527.tif 000006